(57)【要約】【課題】  構成部品の数を抑えて、設定信号を送信できる照明装置、照明器具、電源装置、及び光源モジュールを提供する。【解決手段】  照明装置Ａ１は、光源モジュール２と、電源装置１と、を備える。光源モジュール２は、設定信号を電源装置１へ送信する設定回路２２を有する。演算回路１３１は、設定回路２２から受け取った設定信号に基づいて、メモリ１３２に記憶されている制御用データの少なくとも一部を書き換える書換処理を行う。設定回路２２は、電源回路１２の入力電圧Ｖ１又は出力電圧Ｖ２から生成された駆動電圧Ｖ１０によって動作する。【選択図】図１
2020123503.tif 000002
【特許請求の範囲】
【請求項１】
光源を有する光源モジュールと、
入力電圧を受けて前記光源モジュールへ出力電圧を出力し、前記光源を点灯させるための点灯電力を前記光源モジュールへ供給する電源回路、前記電源回路を制御する演算回路、及び前記演算回路が前記電源回路を制御するために用いる制御用データを記憶するメモリを有する電源装置と、を備え、
前記光源モジュールは、設定信号を前記電源装置へ送信する設定回路をさらに有し、
前記演算回路は、前記設定回路から受け取った前記設定信号に基づいて、前記メモリに記憶されている前記制御用データの少なくとも一部を書き換える書換処理を行い、
前記設定回路は、前記電源回路の前記入力電圧又は前記出力電圧から生成された駆動電圧によって動作する
照明装置。
【請求項２】
前記入力電圧又は前記出力電圧から前記駆動電圧を生成する駆動電源をさらに備える
請求項１記載の照明装置。
【請求項３】
前記電源装置は、前記駆動電源をさらに有する
請求項２記載の照明装置。
【請求項４】
前記光源モジュールは、前記駆動電源をさらに有する
請求項２記載の照明装置。
【請求項５】
前記光源と前記駆動電源とは１つの基板に実装されている
請求項４記載の照明装置。
【請求項６】
前記駆動電源は、前記電源回路の出力電圧を前記駆動電圧に変換するリニアレギュレータを含む
請求項２乃至５のいずれか一項に記載の照明装置。
【請求項７】
請求項１乃至６のいずれか一項に記載の照明装置と、
前記照明装置が有する前記光源モジュール及び前記電源装置の少なくとも一方を保持する器具本体と、を備える
照明器具。
【請求項８】
請求項１乃至３のいずれか一項に記載の電源装置であって、
入力電圧を受けて前記光源モジュールへ出力電圧を出力し、前記光源を点灯させるための点灯電力を前記光源モジュールへ供給する電源回路と、
前記電源回路を制御する演算回路と、
前記演算回路が前記電源回路を制御するために用いる制御用データを記憶するメモリと、
前記設定回路を動作させるための駆動電圧を前記電源回路の前記入力電圧又は前記出力電圧から生成する駆動電源と、を備える
電源装置。
【請求項９】
請求項１、２、４及び５のいずれか一項に記載の光源モジュールであって、
光源と、
設定信号を前記電源装置へ送信する設定回路と、
前記設定回路を動作させるための駆動電圧を前記電源回路の出力電圧から生成する駆動電源と、を備える
光源モジュール。
【発明の詳細な説明】
【技術分野】
【０００１】
本開示は、照明装置、照明器具、電源装置、及び光源モジュールに関する。
【背景技術】
【０００２】
従来、特許文献１に示すような発光ダイオード灯具の駆動電流調整装置がある。駆動電流調整装置は、電源規格に応じて駆動電流を調整することができる。
【０００３】
具体的に、駆動電流調整装置は、通信インタフェース、駆動電流生成モジュール及び駆動電流調整モジュールを含む。駆動電流生成モジュールは、マイクロプロセッサと、マイクロプロセッサに電気的に接続されるメモリ、及び駆動電流生成部とを含む。マイクロプロセッサは、駆動電流調整モジュールが駆動電流生成モジュールに接続されない場合に、メモリの出力電流設定値に応じて駆動電流を調整する。また、マイクロプロセッサは、駆動電流調整モジュールが通信インタフェースを介して駆動電流生成モジュールに物理的に接続される場合に、駆動電流調整モジュールの設定信号に応じて駆動電流を調整するように駆動電流生成部を制御する。さらに、マイクロプロセッサは、駆動電流調整モジュールから書き込み信号を受信すると、設定信号に応じて出力電流設定値を書き換える。
【０００４】
駆動電流調整装置は、駆動電流調整モジュールに操作電力を供給する電源供給器をさらに備える。駆動電流調整モジュールは、電源供給器から供給された操作電力を用いて、設定信号及び書き込み信号を生成し、設定信号及び書き込み信号を駆動電流生成モジュールへ送信する。
【先行技術文献】
【特許文献】
【０００５】
【特許文献１】特開２０１８−９２８７７号公報
【発明の概要】
【発明が解決しようとする課題】
【０００６】
上述の発光ダイオード灯具（照明装置）は、駆動電流調整モジュールが設定信号を送信するために、電源供給器を駆動電流調整モジュールに接続する必要がある。この結果、構成部品の数が増えてしまうという課題があった。
【０００７】
そこで、本開示の目的は、構成部品の数を抑えて、設定信号を送信できる照明装置、照明器具、電源装置、及び光源モジュールを提供することにある。
【課題を解決するための手段】
【０００８】
本開示の一態様に係る照明装置は、光源モジュールと、電源装置と、を備える。前記光源モジュールは、光源を有する。前記電源装置は、入力電圧を受けて前記光源モジュールへ出力電圧を出力し、前記光源を点灯させるための点灯電力を前記光源モジュールへ供給する電源回路、前記電源回路を制御する演算回路、及び前記演算回路が前記電源回路を制御するために用いる制御用データを記憶するメモリを有する。前記光源モジュールは、設定信号を前記電源装置へ送信する設定回路をさらに有する。前記演算回路は、前記設定回路から受け取った前記設定信号に基づいて、前記メモリに記憶されている前記制御用データの少なくとも一部を書き換える書換処理を行う。前記設定回路は、前記電源回路の入力電圧又は出力電圧から生成された駆動電圧によって動作する。
【０００９】
本開示の一態様に係る照明器具は、上述の照明装置と、前記照明装置が有する前記光源モジュール及び前記電源装置の少なくとも一方を保持する器具本体と、を備える。
【００１０】
本開示の一態様に係る電源装置は、上述の照明装置が備える電源装置である。前記電源装置は、電源回路と、演算回路と、メモリと、駆動電源と、を備える。前記電源回路は、入力電圧を受けて前記光源モジュールへ出力電圧を出力し、前記光源を点灯させるための点灯電力を前記光源モジュールへ供給する。前記演算回路は、前記電源回路を制御する、前記メモリは、前記演算回路が前記電源回路を制御するために用いる制御用データを記憶する。前記駆動電源は、前記設定回路を動作させるための駆動電圧を前記電源回路の入力電圧又は出力電圧から生成する。
【００１１】
本開示の一態様に係る光源モジュールは、上述の照明装置が備える光源モジュールである。前記光源モジュールは、光源と、設定信号を前記電源装置へ送信する設定回路と、前記設定回路を動作させるための駆動電圧を前記電源回路の出力電圧から生成する駆動電源と、を備える。
【発明の効果】
【００１２】
以上説明したように、本開示では、構成部品の数を抑えて、設定信号を送信できるという効果がある。
【図面の簡単な説明】
【００１３】
【図１】図１は、実施形態に係る照明装置を示すブロック図である。
【図２】図２は、同上の照明装置の制御回路及び設定回路を示すブロック図である。
【図３】図３は、同上の照明装置における電流制御を示すタイムチャートである。
【図４】図４は、同上の照明装置の第１変形例を示すブロック図である。
【図５】図５は、同上の照明装置の第２変形例を示すブロック図である。
【図６】図６は、同上の照明装置の第３変形例を示すブロック図である。
【図７】図７は、同上のリニアレギュレータを示すブロック図である。
【図８】図８は、同上の照明装置の第４変形例を示すブロック図である。
【図９】図９は、同上の照明装置の第５変形例を示すブロック図である。
【図１０】図１０は、同上の照明装置の第６変形例の電源回路を示す回路図である。
【図１１】図１１Ａ、図１１Ｂ、及び図１１Ｃは、同上の照明装置を備える照明器具の各斜視図である。
【発明を実施するための形態】
【００１４】
以下の実施形態は、一般に、照明装置、照明器具、電源装置、及び光源モジュールに関する。より詳細には、光源モジュールと電源装置とを備える照明装置、照明器具、電源装置、及び光源モジュールに関する。なお、以下に説明する実施形態は、本開示の実施形態の一例にすぎない。本開示は、以下の実施形態に限定されず、本開示の効果を奏することができれば、設計等に応じて種々の変更が可能である。
【００１５】
実施形態の照明装置、照明器具、及び光源モジュールは、主に、オフィス、工場、店舗、又は住戸などで用いられる。住戸は、戸建住宅及び集合住宅のいずれでもよい。
【００１６】
（実施形態）
以下、実施形態を図面に基づいて説明する。
【００１７】
実施形態の照明装置Ａ１は、図１に示すように、電源装置１、及び光源モジュール２を備える。
【００１８】
電源装置１は、直流電源１１、電源回路１２、制御回路１３、表示データ生成部１４、及び表示部１５を有する。
【００１９】
直流電源１１は、直流電圧Ｖ１を出力する。直流電源１１は、例えば、ＡＣ−ＤＣコンバータ、ＤＣ−ＤＣコンバータ、又は二次電池などで構成される。ＡＣ−ＤＣコンバータ、及びＤＣ−ＤＣコンバータは、スイッチング素子を有する昇圧チョッパ回路、昇降圧チョッパ回路、又は降圧チョッパ回路などである。二次電池は、例えばリチウムイオン電池、又はニッケル水素電池などである。スイッチング素子は、ＭＯＳＦＥＴ（Metal Oxide Semiconductor Field Effect Transistor）、又はバイポーラトランジスタなどである。
【００２０】
電源回路１２は、直流電圧Ｖ１（入力電圧）を入力され、直流の出力電圧Ｖ２を生成する。電源回路１２の出力は、一対の有線の電力供給路Ｗ１、Ｗ２を介して光源モジュール２に電気的に接続しており、出力電圧Ｖ２を一対の有線の電力供給路Ｗ１、Ｗ２の間に印加する。そして、電源回路１２は、直流の点灯電力を光源モジュール２へ供給する。電源回路１２は、スイッチング素子を有する降圧チョッパ回路などで構成され、光源モジュール２へ供給する負荷電流Ｉｏを調整する電流調整機能を有する。スイッチング素子は、ＭＯＳＦＥＴ、又はバイポーラトランジスタなどである。なお、電力供給路Ｗ１が、出力電圧Ｖ２の高電位に電気的に接続する。電力供給路Ｗ２が、出力電圧Ｖ２の低電位に電気的に接続する。なお、電源回路１２は、出力電圧Ｖ２を電圧制御する構成、又は点灯電力を電力制御する構成であってもよい。
【００２１】
制御回路１３は、演算回路１３１、及びメモリ１３２を有する。
【００２２】
演算回路１３１は、ＣＰＵ（Central Processing Unit）、又はＭＰＵ（Micro Processing Unit）などのプロセッサである。メモリ１３２は、例えばEEPROM（Electrically Erasable Programmable Read Only Memory）、又はフラッシュメモリなどの書き換え可能な不揮発性メモリであることが好ましい。メモリ１３２は、演算回路１３１が用いる制御用データを記憶する。制御用データは、演算回路１３１が電源回路１２を制御するために用いる制御プログラム及び制御パラメータを含む。本実施形態の制御用データは、少なくとも制御プログラムを含むことが好ましい。演算回路１３１は、メモリ１３２に格納されている制御用データ（制御パラメータ及び制御プログラム）を読み出し、制御プログラムを実行し、かつ、制御パラメータを適用することで、所定の制御アルゴリズムにしたがって、電源回路１２を制御する。ここでは、演算回路１３１は、光源モジュール２へ供給する負荷電流Ｉｏの値を目標値に一致させる電流制御を行う。例えば、演算回路１３１は、直流電圧Ｖ１、出力電圧Ｖ２、及び負荷電流Ｉｏの各値を検出し、検出した各値を上述の制御アルゴリズムに適用して電源回路１２を制御することで、負荷電流Ｉｏの値を目標値に調整することができる。
【００２３】
制御プログラムは、照明制御の基本機能のプログラムモジュールを含む。さらに、制御プログラムは、調光機能のプログラムモジュール、調色機能のプログラムモジュール、センサの出力に基づく光源２１の制御機能のプログラムモジュール、及び外部機器との連動動作のプログラムモジュールなどの少なくとも１つのプログラムモジュールをさらに含むことができる。制御パラメータは、負荷電流Ｉｏの目標値、負荷電流Ｉｏの上限値、及び光源２１の調光カーブなどの少なくとも１つを含む。さらに、制御パラメータは、制御プログラムが複数のプログラムモジュールを含む場合、複数のプログラムモジュールのうち演算回路１３１が実行するプログラムモジュールを指定するモジュール指定情報を含んでもよい。制御プログラムは、制御アルゴリズムを表しており、制御アルゴリズムには制御パラメータが適用される。
【００２４】
電源装置１は、上述のようにプロセッサである演算回路１３１、及びメモリ１３２を含むコンピュータを備えている。このコンピュータでは、演算回路１３１がメモリ１３２に記憶されている制御プログラムを読み出して実行し、制御パラメータを適用することによって、制御回路１３の一部又は全部の機能が実現される。コンピュータは、プログラムに従って動作するプロセッサを主なハードウェア構成として備える。プロセッサは、プログラムを実行することによって機能を実現することができれば、その種類は問わない。プロセッサは、半導体集積回路（ＩＣ）、又はＬＳＩ（large scale integration）を含む一つ又は複数の電子回路で構成される。ここでは、ＩＣやＬＳＩと呼んでいるが、集積の度合いによって呼び方が変わり、システムＬＳＩ、ＶＬＳＩ(very large scale integration)、若しくはＵＬＳＩ(ultra large scale integration) と呼ばれるものであってもよい。ＬＳＩの製造後にプログラムされる、フィールド・プログラマブル・ゲート・アレイ(FPGA)、又はＬＳＩ内部の接合関係の再構成又はＬＳＩ内部の回路区画のセットアップができる再構成可能な論理デバイスも同じ目的で使うことができる。複数の電子回路は、一つのチップに集積されてもよいし、複数のチップに設けられてもよい。複数のチップは一つの装置に集約されていてもよいし、複数の装置に備えられていてもよい。メモリ１３２は、データを書き換え可能な半導体メモリ、又はハードディスクドライブなどの非一時的記録媒体である。プログラムは、メモリ１３２に予め格納されていてもよいし、インターネット等を含む広域通信網を介してメモリ１３２に供給されてもよい。
【００２５】
表示部１５は、固体発光素子、及びＬＣＤ（Liquid Crystal Display）などのディスプレイ装置の少なくとも一方を有する。そして、表示データ生成部１４は、表示部１５に表示させる表示データを生成する。表示部１５が固体発光素子を備える場合、表示データは、固体発光素子の点灯、消灯、又は点滅を指示する信号、又は固体発光素子を点灯、消灯、又は点滅させる駆動電流などである。また、表示部１５がディスプレイ装置を備える場合、表示データは、ディスプレイ装置に表示させる画像データなどである。
【００２６】
なお、電源装置１において、直流電源１１、電源回路１２、制御回路１３、表示データ生成部１４、及び表示部１５が動作するために必要な制御電圧は、直流電源１１の入力又は出力から生成される。
【００２７】
光源モジュール２は、光源２１、及び設定回路２２を有する。また、光源モジュール２は、操作部２６をさらに備えることが好ましい。
【００２８】
光源２１は、複数の固体発光素子として、複数のＬＥＤ（Light Emitting Diode）を具備する。光源２１は、電源回路１２の出力電圧Ｖ２を印加される。そして、光源２１は、電源回路１２から負荷電流Ｉｏを供給されることで、照明光を発する。光源２１が発する照明光は、昼光色、昼白色、又は電球色であることが好ましい。また、光源２１が有する複数のＬＥＤは、直列接続、又は直列接続及び並列接続されている。
【００２９】
光源モジュール２の仕様は、光源モジュール２の用途、目的、及び設置場所などに応じて決まる。したがって、複数の仕様のそれぞれに対応する複数の光源モジュール２が予め準備されている。電源装置１には、互いに仕様が異なる光源モジュール２のうち、いずれかの仕様の光源モジュール２が組み合わされる。光源モジュール２の仕様には、例えば、負荷電流Ｉｏの目標値、光源２１の調光機能及び調色機能、光源２１の調光カーブ、センサの出力に基づく光源２１の制御、及び自装置以外の外部機器との連動動作などがある。
【００３０】
なお、電源装置１に光源モジュール２が組み合わされるとは、電源装置１から光源モジュール２へ点灯電力を供給できるように、電源装置１と光源モジュール２とが電気的に接続されることである。また、電源装置１と光源モジュール２とが機械的に接続されることで、電源装置１と光源モジュール２とが電気的に接続されてもよい。
【００３１】
設定回路２２は、設定信号を電源装置１へ送信する。設定信号は、光源モジュール２に対応するデータである設定データを含む。ここでは、設定データは、光源モジュール２の仕様に対応するデータである。
【００３２】
設定回路２２は、電力供給路Ｗ１、Ｗ２を介して伝達された出力電圧Ｖ２（光源２１の印加電圧）を駆動電圧Ｖ１０として入力される（ここでは、Ｖ２＝Ｖ１０）。駆動電圧Ｖ１０は設定回路２２を動作させるための電圧である。設定回路２２は、駆動電圧Ｖ１０によって動作する。設定回路２２は、駆動電圧Ｖ１０によって動作を開始する起動時に、設定信号を電源装置１へ送信する。さらに、設定回路２２は、駆動電圧Ｖ１０によって動作している間、周期的に設定信号を電源装置１へ送信してもよい。また、設定回路２２は、光源モジュール２に設けた操作部２６の操作時に、設定信号を電源装置１へ送信してもよい。操作部２６は、例えば押釦スイッチ、トグルスイッチ、又はロッカスイッチなどであり、人によって操作可能なスイッチである。
【００３３】
上述のように、設定回路２２は、電源回路１２の出力電圧Ｖ２を駆動電圧Ｖ１０として入力される。設定回路２２は、駆動電圧Ｖ１０によって動作し、設定信号の生成及び送信を行うことができる。したがって、照明装置Ａ１では、電源供給器を光源モジュール２に接続することなく、設定回路２２は、駆動電圧Ｖ１０を供給されて、設定信号を生成及び送信することができる。この結果、照明装置Ａ１は、構成部品の数を抑えて、設定信号を送信できる。また、照明装置Ａ１は、駆動電圧Ｖ１０が出力電圧Ｖ２を生成することによって、駆動電圧Ｖ１０の安定供給を実現でき、設定回路２２は、設定信号をより確実に送信できる。
【００３４】
図２は、設定回路２２の構成例を示す。設定回路２２は、ＤＩＰスイッチ（ディップスイッチ）２２１、抵抗器２２２、２２３、２２４、集積回路２２５、及び抵抗器２２６、２２７を備える。
【００３５】
図２のＤＩＰスイッチ２２１は３極の接点を有するスイッチであり、３極の各操作部の状態に応じて、各極の接点はオン（導通）又はオフ（遮断）のいずれかに設定される。３つの抵抗器２２２、２２３、２２４のそれぞれの第１端が、各極の接点を介して駆動電圧Ｖ１０の低電位に電気的に接続している。３つの抵抗器２２２、２２３、２２４のそれぞれの第２端は、駆動電圧Ｖ１０の高電位に電気的に接続している。したがって、ＤＩＰスイッチ２２１の各接点の両端電圧をそれぞれ、設定電圧Ｖ２１、Ｖ２２、Ｖ２３とすると、設定電圧Ｖ２１、Ｖ２２、Ｖ２３の各値は、各接点の状態によって駆動電圧Ｖ１０の値（Ｈレベル）又は０Ｖ（Ｌレベル）になる。設定電圧Ｖ２１、Ｖ２２、Ｖ２３の各値の組み合わせは、ＤＩＰスイッチ２２１の操作部の操作によって切り替えられる。したがって、ＤＩＰスイッチ２２１の設定を、光源モジュール２の仕様に対応する設定にしておくことで、設定電圧Ｖ２１、Ｖ２２、Ｖ２３の各値の組み合わせは、光源モジュール２の仕様に対応する組み合わせになる。なお、ＤＩＰスイッチ２２１の極数は３極に限定されず、１極、２極、又は４極以上であってもよい。
【００３６】
設定電圧Ｖ２１、Ｖ２２、Ｖ２３は、集積回路２２５の３つの入力ポートにそれぞれ入力される。集積回路２２５は、２線式の有線通信を行う通信用ＩＣ（Integrated Circuit）であり、演算回路１３１との間で、例えばシリアル通信を行う。集積回路２２５は、設定電圧Ｖ２１、Ｖ２２、Ｖ２３の各値の組み合わせに対応する設定データを生成する。そして、集積回路２２５は、設定データを含む設定信号を一対の通信ポートから送信する。すなわち、集積回路２２５は、光源モジュール２（の仕様）に対応する設定データを含む設定信号を送信する。集積回路２２５の一対の通信ポートは、一対の通信路Ｗ３、Ｗ４にそれぞれ接続している。一対の通信路Ｗ３、Ｗ４は、抵抗器２２６、２２７をそれぞれ介して、駆動電圧Ｖ１０にそれぞれプルアップされている。
【００３７】
演算回路１３１の一対の通信ポートは、通信路Ｗ３、Ｗ４にそれぞれ接続しており、演算回路１３１は、集積回路２２５から設定信号を受信することができる。すなわち、設定回路２２は、設定信号を、信号伝達経路である一対の通信路Ｗ３、Ｗ４を介して電源装置１へ送信する。なお、本実施形態では、一対の通信路Ｗ３、Ｗ４を有線の信号伝達経路とする。
【００３８】
演算回路１３１とメモリ１３２との間は一対の通信路を有するバスＷｂで電気的に接続されている。演算回路１３１は、メモリ１３２から制御用データを読み出し、メモリ１３２への制御用データの書き込み、メモリ１３２に格納されている制御用データの書き換えなどを行うことができる。バスＷｂの一対の通信路は、抵抗器１３３、１３４をそれぞれ介して、制御電圧Ｖ２０にそれぞれプルアップされている。なお、制御電圧Ｖ２０は、電源装置１が有する図示しない制御電源によって、直流電源１１の入力又は出力から生成された電圧である。
【００３９】
演算回路１３１は、設定信号を受信すると、設定信号に含まれる設定データに基づいて、メモリ１３２の制御用データの少なくとも一部を書き換える書換処理を行う。演算回路１３１は、設定信号の受信前にメモリ１３２に格納されている制御用データ、及び受信した設定信号に含まれる設定データに対して演算処理を施すことで、書換処理を行う。書換処理には、制御用データの一部又は全部の変更、追加又は削除、制御プログラムの一部又は全部の変更、追加又は削除、制御パラメータの一部又は全部の変更、追加又は削除、並びにプログラムモジュールの一部又は全部の変更、追加又は削除を含む。
【００４０】
なお、制御用データは、制御プログラム、及び制御パラメータの少なくとも一方を含んでいればよい。
【００４１】
（設定データの書換処理）
以下、設定データの書換処理について説明する。
【００４２】
（１）設定データは、電源回路１２が光源２１へ供給する負荷電流Ｉｏの値に関する情報を含むことが好ましい。演算回路１３１は、設定データに含まれる、負荷電流Ｉｏの値に関する情報に基づいて書換処理を行う。
【００４３】
例えば、電源装置１に組み合わされる光源モジュール２が、第１仕様の光源モジュール２（以降、光源モジュール２０１と称す）から第２仕様の光源モジュール２（以降、光源モジュール２０２と称す）に交換されたとする（図１参照）。光源モジュール２０１の仕様では、負荷電流Ｉｏの目標値がＩｏ１である。光源モジュール２０２の仕様では、負荷電流Ｉｏの目標値がＩｏ２である。この場合、交換後の光源モジュール２０２では、設定回路２２が、負荷電流Ｉｏの目標値をＩｏ２に設定するための設定データを生成し、この設定データを含む設定信号を演算回路１３１へ送信する。演算回路１３１は、設定データに基づいて、メモリ１３２に格納されている制御用データ（制御プログラム、及び制御パラメータ）のうち、負荷電流Ｉｏの目標値に関するデータを書き換える。すなわち、メモリ１３２に格納されている制御用データでは、負荷電流Ｉｏの目標値が、Ｉｏ１からＩｏ２に変更される。
【００４４】
光源モジュール２が、光源モジュール２０１から光源モジュール２０２に交換された前後における電源装置１の動作を、図３を用いて説明する。図３の上段は、演算回路１３１が電源回路１２へ出力するＰＷＭ信号Ｙ１の波形を示す。図３の下段は、負荷電流Ｉｏの波形を示す。演算回路１３１は、調光レベルに応じてＰＷＭ信号Ｙ１のオンデューティを設定する。調光レベルが高いほど（すなわち、光出力が大きいほど）、ＰＷＭ信号Ｙ１のオンデューティは大きくなる。調光レベルが低いほど（すなわち、光出力が小さいほど）、ＰＷＭ信号Ｙ１のオンデューティは小さくなる。電源回路１２は、ＰＷＭ信号Ｙ１のオンデューティを読み取り、オンデューティに応じて負荷電流Ｉｏを調整する。電源回路１２は、オンデューティが大きいほど、負荷電流Ｉｏの値を大きくする。電源回路１２は、オンデューティが小さいほど、負荷電流Ｉｏの値を小さくする。
【００４５】
図３では、時間ｔ０から時間ｔ１までは、電源装置１に光源モジュール２０１が組み合わされている。そして、時間ｔ１に電源装置１から光源モジュール２０１が取り外され、時間ｔ２で電源装置１に光源モジュール２０２が組み合わされている。電源装置１に光源モジュール２０１が組み合わされている期間（時間ｔ１以前）では、ＰＷＭ信号Ｙ１のオンデューティはＴ２／Ｔ１であり、電源回路１２は、負荷電流Ｉｏの値を目標値Ｉｏ１に調整する。そして、電源装置１に光源モジュール２０２が組み合わされると（時間ｔ２以降）、ＰＷＭ信号Ｙ１のオンデューティはＴ３／Ｔ１であり（Ｔ３＞Ｔ２）、電源回路１２は、負荷電流Ｉｏの値を目標値Ｉｏ２に調整する（Ｉｏ２＞Ｉｏ１）。
【００４６】
このように、光源モジュール２が、光源モジュール２０１から光源モジュール２０２に交換された場合には、演算回路１３１は、交換後の光源モジュール２０２の仕様に合った制御用データを用いることができる。この結果、電源装置１に光源モジュール２０１が組み合わされているときには、演算回路１３１は、負荷電流Ｉｏの値を目標値Ｉｏ１に制御できる。そして、電源装置１に光源モジュール２０２が組み合わされているときには、演算回路１３１は、負荷電流Ｉｏの値を目標値Ｉｏ２に制御できる。
【００４７】
（２）設定データは、光源２１の調光機能及び調色機能の少なくとも一方に関する情報を含むことが好ましい。演算回路１３１は、設定データに含まれる、光源２１の調光機能及び調色機能に関する情報に基づいて書換処理を行う。
【００４８】
例えば、光源モジュール２が、第１仕様の光源モジュール２０１から第２仕様の光源モジュール２０２に交換されたとする（図１参照）。光源モジュール２０１の仕様では、調光機能及び調色機能は利用不可である。光源モジュール２０２の仕様では、調光機能及び調色機能は利用可である。そして、光源モジュール２が、光源モジュール２０１から光源モジュール２０２に交換されたとする。この場合、交換後の光源モジュール２０２では、設定回路２２が、調光機能及び調色機能を利用するための設定データを生成し、この設定データを含む設定信号を演算回路１３１へ送信する。演算回路１３１は、設定データに基づいて、メモリ１３２に格納されている制御用データ（制御プログラム、及び制御パラメータ）のうち、調光機能及び調色機能に関するデータを書き換える。すなわち、メモリ１３２に格納されている制御用データでは、調光機能及び調色機能が利用不可から利用可に変更される。設定データは、例えば、調光機能及び調色機能に関するプログラムモジュールである。また、設定データは、演算回路１３１が実行するプログラムモジュールとして調光機能及び調色機能に関するプログラムモジュールを指定する、モジュール指定情報などであってもよい。
【００４９】
この結果、電源装置１に光源モジュール２０１が組み合わされているときには、演算回路１３１は、調光機能及び調色機能を実行できない。そして、電源装置１に光源モジュール２０２が組み合わされているときには、演算回路１３１は、調光機能及び調色機能を実行できる。
【００５０】
（３）設定データは、光源２１の調光カーブに関する情報を含むことが好ましい。演算回路１３１は、設定データに含まれる、光源２１の調光カーブに関する情報に基づいて書換処理を行う。
【００５１】
例えば、光源モジュール２が、第１仕様の光源モジュール２０１から第２仕様の光源モジュール２０２に交換されたとする（図１参照）。光源モジュール２０１の仕様では、調光カーブとして第１調光カーブを用いる。光源モジュール２０２の仕様では、調光カーブとして第２調光カーブを用いる。そして、光源モジュール２が、光源モジュール２０１から光源モジュール２０２に交換されたとする。この場合、交換後の光源モジュール２０２では、設定回路２２が、第２調光カーブの情報を含む設定データを生成し、この設定データを含む設定信号を演算回路１３１へ送信する。演算回路１３１は、設定データに基づいて、メモリ１３２に格納されている制御用データ（制御プログラム、及び制御パラメータ）のうち、調光カーブに関するデータを書き換える。すなわち、メモリ１３２に格納されている制御用データでは、調光カーブに関するデータが第１調光カーブから第２調光カーブに変更される。設定データは、例えば、第２調光カーブに関するプログラムモジュールである。また、設定データは、演算回路１３１が実行するプログラムモジュールとして第２調光カーブに関するプログラムモジュールを指定する、モジュール指定情報などであってもよい。
【００５２】
この結果、電源装置１に光源モジュール２０１が組み合わされているときには、演算回路１３１は、調光カーブとして第１調光カーブを用いる。そして、電源装置１に光源モジュール２０２が組み合わされているときには、演算回路１３１は、調光カーブとして第２調光カーブを用いる。
【００５３】
（４）設定データは、センサの出力に基づく光源２１の制御に関する情報を含むことが好ましい。センサは、例えば人感センサ、又は照度センサなどである。センサは、光源モジュール２に取り付けられる、又は照明装置Ａ１の外部の照明空間に配置される。センサは、有線の信号伝達経路、又は無線の信号伝達経路を介して、電源装置１へ検知結果を含むセンサ信号を出力する。演算回路１３１は、設定データに含まれる、センサの出力に基づく光源２１の制御に関する情報に基づいて書換処理を行う。
【００５４】
例えば、光源モジュール２が、第１仕様の光源モジュール２０１から第２仕様の光源モジュール２０２に交換されたとする（図１参照）。光源モジュール２０１の仕様では、人感センサ又は照度センサの出力に基づく光源２１の点灯制御、消灯制御、及び調光制御などの照明制御は不可である。光源モジュール２０２の仕様では、人感センサ又は照度センサの出力に基づく光源２１の照明制御は可である。そして、光源モジュール２が、光源モジュール２０１から光源モジュール２０２に交換されたとする。この場合、交換後の光源モジュール２０２では、設定回路２２が、人感センサ又は照度センサの出力に基づく光源２１の照明制御を利用するための設定データを生成し、この設定データを含む設定信号を演算回路１３１へ送信する。演算回路１３１は、設定データに基づいて、メモリ１３２に格納されている制御用データ（制御プログラム、及び制御パラメータ）のうち、人感センサ又は照度センサの出力に基づく光源２１の照明制御に関するデータを書き換える。すなわち、メモリ１３２に格納されている制御用データでは、人感センサ又は照度センサの出力に基づく光源２１の照明制御が利用不可から利用可に変更される。設定データは、例えば、人感センサ又は照度センサの出力に基づく光源２１の照明制御に関するプログラムモジュールである。また、設定データは、演算回路１３１が実行するプログラムモジュールとして人感センサ又は照度センサの出力に基づく光源２１の照明制御に関するプログラムモジュールを指定する、モジュール指定情報などであってもよい。
【００５５】
この結果、電源装置１に光源モジュール２０１が組み合わされているときには、演算回路１３１は、人感センサ又は照度センサの出力に基づく光源２１の照明制御を実行できない。そして、電源装置１に光源モジュール２０２が組み合わされているときには、演算回路１３１は、人感センサ又は照度センサの出力に基づく光源２１の照明制御を実行できる。
【００５６】
（５）設定データは、自装置以外の外部機器との連動動作に関する情報を含むことが好ましい。演算回路１３１は、設定データに含まれる、外部機器との連動動作に関する情報に基づいて書換処理を行う。なお、外部機器は、例えば、他の照明装置Ａ１、電動カーテン、又は電気錠などである。外部機器との連動動作には、外部機器と連動した光源２１の照明制御などがある。
【００５７】
例えば、光源モジュール２が、第１仕様の光源モジュール２０１から第２仕様の光源モジュール２０２に交換されたとする（図１参照）。光源モジュール２０１の仕様では、外部機器との連動動作は不可である。光源モジュール２０２の仕様では、外部機器との連動動作は可である。そして、光源モジュール２が、光源モジュール２０１から光源モジュール２０２に交換されたとする。この場合、交換後の光源モジュール２０２では、設定回路２２が、外部機器との連動動作を利用するための設定データを生成し、この設定データを含む設定信号を演算回路１３１へ送信する。演算回路１３１は、設定データに基づいて、メモリ１３２に格納されている制御用データ（制御プログラム、及び制御パラメータ）のうち、外部機器との連動動作に関するデータを書き換える。すなわち、メモリ１３２に格納されている制御用データでは、外部機器との連動動作が利用不可から利用可に変更される。設定データは、例えば、外部機器との連動動作に関するプログラムモジュールである。また、設定データは、演算回路１３１が実行するプログラムモジュールとして外部機器との連動動作に関するプログラムモジュールを指定する、モジュール指定情報などであってもよい。
【００５８】
この結果、電源装置１に光源モジュール２０１が組み合わされているときには、演算回路１３１は、外部機器との連動動作を実行できない。そして、電源装置１に光源モジュール２０２が組み合わされているときには、演算回路１３１は、外部機器との連動動作を実行できる。
【００５９】
上述のように、照明装置Ａ１は、上述の特許文献１のような駆動電流生成モジュールを用いる必要がなく、構成部品の数を抑えることができる。さらに、照明装置Ａ１は、光源モジュール２の仕様に合った制御用データになるように、メモリ１３２の制御用データを容易に書き換えることができる。
【００６０】
また、設定回路２２は、光源モジュール２に予め付与されている固有の識別情報を含む識別信号を、電源装置１へ送信することが好ましい。本実施形態では、設定回路２２は、設定信号を電源装置１へ送信する前に、識別信号を電源装置１へ送信する。識別情報は、光源モジュール２の仕様に対応していることが好ましい。
【００６１】
演算回路１３１は、識別情報に基づいて、書換処理を行うか否かを判断する。メモリ１３２は、電源装置１に適合する少なくとも１つの光源モジュール２の識別情報（許可識別情報）を予め記憶している。演算回路１３１は、光源モジュール２から受け取った識別情報が、許可識別情報に含まれていれば、書換処理を行うと判断する。演算回路１３１は、光源モジュール２から受け取った識別情報が、許可識別情報に含まれていなければ、書換処理を行わないと判断する。演算回路１３１は、書換処理を行うと判断すると、設定信号の送信を要求する送信要求信号を設定回路２２へ送信する。設定回路２２は、送信要求信号を受け取ると、設定信号を演算回路１３１へ送信する。
【００６２】
したがって、演算回路１３１が書換処理を行わないと判断した場合、設定回路２２は設定信号を送信しないので、照明装置Ａ１は無駄な通信を抑制できる。
【００６３】
また、電源装置１では、表示データ生成部１４が、演算回路１３１の指示によって、書換処理に関する表示データを生成する。表示データ生成部１４は、生成した表示データを表示部１５へ出力する。表示部１５は、表示データに基づいて、書換処理に関する内容を表示する。書換処理に関する内容は、例えば書換処理のステータス（経過、又は状態）などである。
【００６４】
表示部１５が、１つの固体発光素子として１つのＬＥＤを備える場合、表示データ生成部１４は、表示部１５の以下の動作を実現するように表示データを生成する。表示部１５のＬＥＤは、通常時は消灯している。表示部１５のＬＥＤは、演算回路１３１が設定信号を受け取ると点灯し、演算回路１３１が書換処理中であれば点滅し、演算回路１３１が書換処理を完了すると一定時間点灯する。また、演算回路１３１が書換処理を行うと判断した場合、表示部１５のＬＥＤは、一定時間点灯してもよい。さらに、演算回路１３１が書換処理を行わないと判断した場合、表示部１５のＬＥＤは、消灯状態を維持してもよい。
【００６５】
また、表示部１５が、複数の固体発光素子として、互いに発光色の異なる複数のＬＥＤを備える場合、表示データ生成部１４は、表示部１５の以下の動作を実現するように表示データを生成する。まず、表示データ生成部１４は、表示部１５に表示させる内容に応じて、複数のＬＥＤから点灯させるＬＥＤを選択する。例えば、表示部１５が、赤の光を発する赤色ＬＥＤ、及び緑の光を発する緑色ＬＥＤを有する。この場合、演算回路１３１が書換処理を行うと判断すれば、表示部１５では、緑色ＬＥＤが点灯し、赤色ＬＥＤが消灯する。演算回路１３１が書換処理を行わないと判断すれば、表示部１５では、緑色ＬＥＤが消灯し、赤色ＬＥＤが点灯する。
【００６６】
また、表示部１５が、複数の固体発光素子として、同じ発光色の複数のＬＥＤを備える場合、表示データ生成部１４は、表示部１５の以下の動作を実現するように表示データを生成する。まず、表示データ生成部１４は、表示部１５に表示させる内容に応じて、複数のＬＥＤのうち点灯させるＬＥＤの数を切り換える。例えば、表示部１５が３つのＬＥＤを有する。この場合、演算回路１３１が書換処理を行うと判断すれば、表示部１５では、３つのＬＥＤのうち１つのＬＥＤのみが点灯する。演算回路１３１が書換処理中であれば、表示部１５では、３つのＬＥＤのうち２つのＬＥＤが点灯する。演算回路１３１が書換処理を完了すれば、表示部１５では、３つのＬＥＤが点灯する。演算回路１３１が書換処理を行わないと判断すれば、表示部１５では、３つのＬＥＤが消灯する。
【００６７】
また、表示部１５が、ＬＣＤなどのディスプレイ装置であれば、表示データ生成部１４は、表示部１５に表示させる画像データを表示データとして生成する。表示データを受け取った表示部１５は、書換処理のステータスなどを、文字、シンボル、及び記号などを用いてディスプレイ装置に表示させる。
【００６８】
また、表示部１５は、ユーザによって携行可能な携帯端末であってもよい。携帯端末は、例えば、専用端末、スマートフォン、又は携帯電話などである。この場合、表示データ生成部１４は、携帯端末との間で無線通信が可能な通信機能を有し、表示データを携帯端末へ送信する。表示データを受け取った携帯端末は、携帯端末の画面に表示データを表示する。なお、表示データ生成部１４と携帯端末との間の通信は、有線通信であってもよい。
【００６９】
（第１変形例）
図４は、照明装置Ａ１の第１変形例を示す。
【００７０】
第１変形例の照明装置Ａ１では、光源モジュール２が駆動電源２３を備える。駆動電源２３は、電力供給路Ｗ１、Ｗ２を介して伝達された電源回路１２の出力電圧Ｖ２を入力され、出力電圧Ｖ２を降圧して、直流の駆動電圧Ｖ１０を生成する（Ｖ２の値＞Ｖ１０の値）。駆動電圧Ｖ１０は設定回路２２を動作させるための電圧であり、駆動電圧Ｖ１０は設定回路２２に供給される。設定回路２２は、駆動電圧Ｖ１０によって動作する。駆動電源２３は、例えばリニアレギュレータ、降圧チョッパ回路、又はツェナダイオードを用いた回路などで構成されることが好ましい。
【００７１】
照明装置Ａ１は、出力電圧Ｖ２を駆動電圧Ｖ１０に変換する駆動電源２３を備えることで、駆動電圧Ｖ１０の安定化を図ることができる。したがって、設定回路２２は、設定信号をより確実に送信できる。
【００７２】
（第２変形例）
図５は、照明装置Ａ１の第２変形例を示す。
【００７３】
第２変形例の照明装置Ａ１では、電源装置１が駆動電源１８を備える。駆動電源１８は、電源回路１２の出力電圧Ｖ２を入力され、出力電圧Ｖ２を降圧して、直流の駆動電圧Ｖ１０を生成する（Ｖ２の値＞Ｖ１０の値）。駆動電源１８の出力は、一対の有線の駆動電圧供給路Ｗ５、Ｗ６を介して光源モジュール２に電気的に接続しており、駆動電源１８は、駆動電圧Ｖ１０を光源モジュール２へ出力する。設定回路２２は、駆動電圧供給路Ｗ５、Ｗ６に接続しており、駆動電圧供給路Ｗ５、Ｗ６を介して駆動電圧Ｖ１０を供給される。設定回路２２は、駆動電圧Ｖ１０によって動作する。駆動電源１８は、例えばリニアレギュレータ、降圧チョッパ回路、又はツェナダイオードを用いた回路などで構成されることが好ましい。
【００７４】
照明装置Ａ１は、出力電圧Ｖ２を駆動電圧Ｖ１０に変換する駆動電源１８を備えることで、駆動電圧Ｖ１０の安定化を図ることができる。したがって、設定回路２２は、設定信号をより確実に送信できる。
【００７５】
（第３変形例）
図６は、照明装置Ａ１の第３変形例を示す。
【００７６】
第３変形例の照明装置Ａ１では、電源装置１は、直流電源１１として、ＡＣ−ＤＣコンバータ１１Ａを備える。ＡＣ−ＤＣコンバータ１１Ａは、商用電源９から交流電力を供給される。商用電源９は、例えば公称電圧１００Ｖ又は２００Ｖ、周波数５０Ｈｚ又は６０Ｈｚの商用の電力系統であり、ＡＣ−ＤＣコンバータ１１Ａへ交流電力を供給する。
【００７７】
ＡＣ−ＤＣコンバータ１１Ａは、整流回路、及びチョッパ回路を具備する。チョッパ回路は、昇圧チョッパ回路、昇降圧チョッパ回路、又は降圧チョッパ回路などであり、ＭＯＳＦＥＴ、又はバイポーラトランジスタなどのスイッチング素子を有する。ＡＣ−ＤＣコンバータ１１Ａでは、整流回路が商用電源９の交流電圧を全波整流し、チョッパ回路が、整流回路による整流電圧を昇圧、昇降圧、又は降圧して、直流電圧Ｖ１を生成する。なお、ＡＣ−ＤＣコンバータ１１Ａは、力率改善機能を有することが好ましい。
【００７８】
さらに、第３変形例の照明装置Ａ１では、第２変形例の駆動電源１８として、リニアレギュレータ１８Ａを備える。リニアレギュレータ１８Ａは、出力電圧Ｖ２を降圧して、直流の駆動電圧Ｖ１０を生成するシリーズレギュレータである。駆動電圧Ｖ１０は、有線の駆動電圧供給路Ｗ７と電力供給路Ｗ２との間に印加される。駆動電圧供給路Ｗ７が、駆動電圧Ｖ１０の高電位に電気的に接続する。電力供給路Ｗ２が、駆動電圧Ｖ１０の低電位に電気的に接続する。この場合、電力供給路Ｗ２は、出力電圧Ｖ２及び駆動電圧Ｖ１０に共通の基準電位となる。
【００７９】
さらに、第３変形例の照明装置Ａ１では、電源装置１と光源モジュール２との間が、１つのケーブルアセンブリＣＡ１で接続されている。ケーブルアセンブリＣＡ１は、コネクタプラグＣＮ１、ケーブルＷ１１、及びコネクタプラグＣＮ２を備える。コネクタプラグＣＮ１は、ケーブルＷ１１の第１端に接続し、コネクタプラグＣＮ２は、ケーブルＷ１１の第２端に接続している。電源装置１は、コネクタプラグＣＮ１が嵌まり込む図示しないレセプタクルを備える。光源モジュール２は、コネクタプラグＣＮ２が嵌まり込む図示しないレセプタクルを備える。ケーブルＷ１１は、一対の電力供給路Ｗ１、Ｗ２、一対の通信路Ｗ３、Ｗ４、及び駆動電圧供給路Ｗ７にそれぞれ対応する５本の電線を有する。コネクタプラグＣＮ１の各ピンとコネクタプラグＣＮ２の各ピンとの間は、ケーブルＷ１１の各電線によって互いに電気的に接続している。すなわち、ケーブルアセンブリＣＡ１は、一対の電力供給路Ｗ１、Ｗ２、一対の通信路Ｗ３、Ｗ４、及び駆動電圧供給路Ｗ７の各一部を構成する。
【００８０】
したがって、電源装置１及び光源モジュール２に対するケーブルアセンブリＣＡ１の脱着により、ねじ留め式の端子台又は半田付けによる接続構造に比べて、電源装置１に組み合わせる光源モジュール２の交換作業が容易になる。
【００８１】
設定回路２２は、駆動電圧供給路Ｗ７及び電力供給路Ｗ２に接続しており、駆動電圧供給路Ｗ７及び電力供給路Ｗ２を介して駆動電圧Ｖ１０を供給される。設定回路２２は、駆動電圧Ｖ１０によって動作する。
【００８２】
図７は、リニアレギュレータ１８Ａの回路構成の一例を示す。
【００８３】
リニアレギュレータ１８Ａは、３端子レギュレータ１８１、入力コンデンサ１８２、及び出力コンデンサ１８３を備える。３端子レギュレータ１８１は、入力端子、出力端子、及び共通端子を有し、入力電圧（出力電圧Ｖ２）を所定値の出力電圧（駆動電圧Ｖ１０）に変換する電源ＩＣである。
【００８４】
入力コンデンサ１８２は、３端子レギュレータ１８１の入力端子と共通端子との間に接続される。入力コンデンサ１８２の正極は電力供給路Ｗ１に接続し、入力コンデンサ１８２の負極は電力供給路Ｗ２に接続する。出力コンデンサ１８３は、３端子レギュレータ１８１の出力端子と共通端子との間に接続される。出力コンデンサ１８３の正極は駆動電圧供給路Ｗ７に接続し、出力コンデンサ１８３の負極は電力供給路Ｗ２に接続する。そして、３端子レギュレータ１８１は、入力コンデンサ１８２の両端に印加された出力電圧Ｖ２を入力され、出力コンデンサ１８３の両端に駆動電圧Ｖ１０を生成する。
【００８５】
したがって、照明装置Ａ１は、駆動電源１８としてリニアレギュレータ１８Ａを備えることで、駆動電源１８を簡易に構成できる。
【００８６】
なお、図６では、電源装置１及び光源モジュール２が、１つのケーブルアセンブリを介して接続されている。しかしながら、電源装置１及び光源モジュール２は、２つのケーブルアセンブリを介して接続されてもよい。２つのケーブルアセンブリは、一対の電力供給路Ｗ１、Ｗ２及び駆動電圧供給路Ｗ７の各一部を構成する第１ケーブルアセンブリ、及び一対の通信路Ｗ３、Ｗ４の各一部を構成する第２ケーブルアセンブリである。
【００８７】
（第４変形例）
図８は、照明装置Ａ１の第４変形例を示す。
【００８８】
第４変形例の照明装置Ａ１では、電源装置１は、第３変形例のリニアレギュレータ１８Ａの代わりに、降圧チョッパ回路で構成された降圧回路１８Ｂを備える。降圧回路１８Ｂは、直流電圧Ｖ１（電源回路１２の入力電圧）を入力され、直流電圧Ｖ１を降圧した駆動電圧Ｖ１０を生成する。駆動電圧Ｖ１０は、駆動電圧供給路Ｗ７と電力供給路Ｗ２との間に印加される。
【００８９】
したがって、照明装置Ａ１は、駆動電源１８として降圧回路１８Ｂを備えることで、駆動電圧Ｖ１０のさらなる安定化を図ることができる。また、降圧回路１８Ｂは、直流電圧Ｖ１を入力されることで、電源回路１２が動作していないときでも、駆動電圧Ｖ１０を生成することができる。
【００９０】
（第５変形例）
図９は、照明装置Ａ１の第５変形例を示す。
【００９１】
第５変形例の照明装置Ａ１では、第３変形例と同様に、電源装置１は、直流電源１１として、ＡＣ−ＤＣコンバータ１１Ａを備える。
【００９２】
さらに、第５変形例の照明装置Ａ１では、第１変形例の駆動電源２３として、リニアレギュレータ２３Ａを備える。リニアレギュレータ２３Ａは、出力電圧Ｖ２を降圧して、直流の駆動電圧Ｖ１０を生成するシリーズレギュレータである。
【００９３】
さらに、第５変形例の照明装置Ａ１では、電源装置１と光源モジュール２との間が、１つのケーブルアセンブリＣＡ２で接続されている。ケーブルアセンブリＣＡ２は、コネクタプラグＣＮ１１、ケーブルＷ１２、及びコネクタプラグＣＮ１２を備える。コネクタプラグＣＮ１１は、ケーブルＷ１２の第１端に接続し、コネクタプラグＣＮ１２は、ケーブルＷ１２の第２端に接続している。電源装置１は、コネクタプラグＣＮ１１が嵌まり込む図示しないレセプタクルを備える。光源モジュール２は、コネクタプラグＣＮ１２が嵌まり込む図示しないレセプタクルを備える。ケーブルＷ１２は、一対の電力供給路Ｗ１、Ｗ２、及び一対の通信路Ｗ３、Ｗ４にそれぞれ対応する４本の電線を有する。コネクタプラグＣＮ１１の各ピンとコネクタプラグＣＮ１２の各ピンとの間は、ケーブルＷ１２の各電線によって互いに電気的に接続している。すなわち、ケーブルアセンブリＣＡ２は、一対の電力供給路Ｗ１、Ｗ２、及び一対の通信路Ｗ３、Ｗ４の各一部を構成する。
【００９４】
したがって、電源装置１及び光源モジュール２に対するケーブルアセンブリＣＡ２の脱着により、ねじ留め式の端子台又は半田付けによる接続構造に比べて、電源装置１に組み合わせる光源モジュール２の交換作業が容易になる。
【００９５】
リニアレギュレータ２３Ａが生成した駆動電圧Ｖ１０は、設定回路２２に供給される。設定回路２２は、駆動電圧Ｖ１０によって動作する。
【００９６】
なお、リニアレギュレータ２３Ａの回路構成は、図７のリニアレギュレータ１８Ａと同様であり、説明は省略する。
【００９７】
したがって、照明装置Ａ１は、駆動電源２３としてリニアレギュレータ２３Ａを備えることで、駆動電源２３を簡易に構成できる。
【００９８】
また、光源２１とリニアレギュレータ２３Ａとは、１つの基板２４に実装されることが好ましい。基板２４は、板状のプリント基板である。例えば、基板２４は、ガラスエポキシ基板、セラミック基板、又は紙エポキシ基板などである。基板２４は、光源モジュール２に取り付けられる。したがって、照明装置Ａ１は、光源２１とリニアレギュレータ２３Ａとを１つの基板２４にまとめることで、構成の簡略化を図ることができる。
【００９９】
（第６変形例）
図１０は、照明装置Ａ１の電源回路１２の回路構成の一例を示す。図１０では、電源回路１２は、降圧チョッパ回路１２Ａを構成している。
【０１００】
降圧チョッパ回路１２Ａは、コンデンサ１２１、スイッチング素子１２２、ダイオード１２３、インダクタ１２４、コンデンサ１２５、及び制御回路１２６を備える。コンデンサ１２１の両端間には、直流電圧Ｖ１が印加される。コンデンサ１２１には、スイッチング素子１２２とダイオード１２３との直列回路が並列接続されている。スイッチング素子１２２は、例えばＮチャネルのＭＯＳＦＥＴであり、スイッチング素子１２２のドレインはコンデンサ１２１の正極に接続され、スイッチング素子１２２のソースはダイオード１２３のカソードに接続される。ダイオード１２３のアノードは、コンデンサ１２１の正極に接続される。さらに、インダクタの第１端はスイッチング素子１２２のソースに接続され、インダクタの第２端はコンデンサ１２５の正極に接続される。コンデンサ１２５の負極は、ダイオード１２３のアノードに接続される。
【０１０１】
制御回路１２６は、スイッチング素子１２２を駆動する機能を有し、スイッチング素子１２２をオンオフすることで、直流電圧Ｖ１を降圧した出力電圧Ｖ２をコンデンサ１２５の両端間に発生させる。そして、制御回路１２６は、光源モジュール２へ供給する負荷電流Ｉｏが目標値に一致するように、スイッチング素子１２２をスイッチング制御する。
【０１０２】
（照明器具）
上述の照明装置Ａ１を備える照明器具について、図１１Ａ、図１１Ｂ、及び図１１Ｃを参照して詳細に説明する。例えば図１１Ａに示すように、照明器具Ｂ１は、天井に埋込配設されるダウンライトとして構成される。照明器具Ｂ１は、電源装置１及び光源モジュール２からなる照明装置Ａ１が収納される器具本体６０と、反射板６１とを備える。器具本体６０の上部には、複数枚の放熱フィン６００が突設されている。また、器具本体６０から導出される電源ケーブル６２が商用電源９と電気的に接続される。
【０１０３】
また、図１１Ｂに示す照明器具Ｂ２、及び図１１Ｃに示す照明器具Ｂ３は、配線ダクト７に取り付けられるスポットライトとして構成される。図１１Ｂに示す照明器具Ｂ２は、電源装置１及び光源モジュール２からなる照明装置Ａ１が収納される器具本体６３と、反射板６４と、配線ダクト７に装着されるコネクタ部６５と、コネクタ部６５と器具本体６３を結合するアーム部６６とを備える。コネクタ部６５と電源装置１とが電源ケーブル６７を介して電気的に接続される。
【０１０４】
一方、図１１Ｃに示す照明器具Ｂ３は、光源モジュール２が収納される器具本体６８と、電源装置１が収納される器具本体６９と、器具本体６８と器具本体６９を連結する連結部７０と、電源装置１と光源モジュール２とを電気的に接続する電源ケーブル７１とを備える。なお、器具本体６９の天面には、配線ダクト７と着脱可能に電気的且つ機械的に接続されるコネクタ部６９０が設けられる。
【０１０５】
また、照明器具Ｂ１の器具本体６０の一部、照明器具Ｂ２の器具本体６３の一部、及び照明器具Ｂ３の器具本体６９の一部は、樹脂又はガラスからなる矩形状の透光部材６１０であってもよい。器具本体６０、６３、６９の各内部では、表示部１５が透光部材６１０に対向して配置されている。したがって、ユーザは、透光部材６１０を通して、表示部１５の表示内容を確認できる。また、表示部１５は、透光部材６１０によって保護される。
【０１０６】
なお、照明装置Ａ１を備える照明器具は、上述の照明器具Ｂ１、Ｂ２、Ｂ３に限定されず、他の照明器具であってもよい。
【０１０７】
以上のように、実施形態に係る第１の態様の照明装置（Ａ１）は、光源モジュール（２）と、電源装置（１）と、を備える。光源モジュール（２）は、光源（２１）を有する。電源装置（１）は、電源回路（１２）、演算回路（１３１）、及びメモリ（１３２）を有する。電源回路（１２）は、入力電圧（Ｖ１）を受けて光源モジュール（２）へ出力電圧（Ｖ２）を出力し、光源（２１）を点灯させるための点灯電力を光源モジュール（２）へ供給する。演算回路（１３１）は、電源回路（１２）を制御する。メモリ（１３２）は、演算回路（１３１）が電源回路（１２）を制御するために用いる制御用データを記憶する。光源モジュール（２）は、設定信号を電源装置（１）へ送信する設定回路（２２）をさらに有する。演算回路（１３１）は、設定回路（２２）から受け取った設定信号に基づいて、メモリ（１３２）に記憶されている制御用データの少なくとも一部を書き換える書換処理を行う。設定回路（２２）は、電源回路（１２）の入力電圧（Ｖ１）又は出力電圧（Ｖ２）から生成された駆動電圧（Ｖ１０）によって動作する。
【０１０８】
上述の照明装置（Ａ１）は、構成部品の数を抑えて、設定信号を送信できる。
【０１０９】
また、実施形態に係る第２の態様の照明装置（Ａ１）は、第１の態様において、入力電圧（Ｖ１）又は出力電圧（Ｖ２）から駆動電圧（Ｖ１０）を生成する駆動電源（１８、２３）をさらに備えることが好ましい。
【０１１０】
上述の照明装置（Ａ１）は、駆動電圧（Ｖ１０）の安定化を図ることができる。したがって、設定回路（２２）は、設定信号をより確実に送信できる。
【０１１１】
また、実施形態に係る第３の態様の照明装置（Ａ１）では、第２の態様において、電源装置（１）は、駆動電源（１８）をさらに有することが好ましい。
【０１１２】
上述の照明装置（Ａ１）は、駆動電圧（Ｖ１０）の安定化を図ることができる。したがって、設定回路（２２）は、設定信号をより確実に送信できる。
【０１１３】
また、実施形態に係る第４の態様の照明装置（Ａ１）では、第２の態様において、光源モジュール（２）は、駆動電源（２３）をさらに有することが好ましい。
【０１１４】
上述の照明装置（Ａ１）は、駆動電圧（Ｖ１０）の安定化を図ることができる。したがって、設定回路（２２）は、設定信号をより確実に送信できる。
【０１１５】
また、実施形態に係る第５の態様の照明装置（Ａ１）では、第４の態様において、光源（２１）と駆動電源（２３）とは１つの基板（２４）に実装されていることが好ましい。
【０１１６】
上述の照明装置（Ａ１）は、光源（２１）と駆動電源（２３）とを１つの基板（２４）にまとめることで、構成の簡略化を図ることができる。
【０１１７】
また、実施形態に係る第６の態様の照明装置（Ａ１）では、第２乃至第５の態様のいずれか一つにおいて、駆動電源（１８、２３）は、電源回路（１２）の出力電圧（Ｖ２）を駆動電圧（Ｖ１０）に変換するリニアレギュレータ（１８Ａ、２３Ａ）を含むことが好ましい。
【０１１８】
上述の照明装置（Ａ１）は、駆動電源（１８、２３）を簡易に構成できる。
【０１１９】
実施形態に係る第７の態様の照明器具（Ｂ１、Ｂ２、Ｂ３）は、第１乃至第６の態様のいずれか一つの照明装置（Ａ１）と、照明装置（Ａ１）が有する光源モジュール（２）及び電源装置（１）の少なくとも一方を保持する器具本体（６０、６３、６９）と、を備える。
【０１２０】
上述の照明器具（Ｂ１、Ｂ２、Ｂ３）は、構成部品の数を抑えて、設定信号を送信できる。
【０１２１】
実施形態に係る第８の態様の電源装置（１）は、第１乃至第３の態様のいずれか一つの電源装置である。電源装置（１）は、電源回路（１２）と、演算回路（１３１）と、メモリ（１３２）と、駆動電源（１８）と、を備える。電源回路（１２）は、入力電圧（Ｖ１）を受けて光源モジュール（２）へ出力電圧（Ｖ２）を出力し、光源（２１）を点灯させるための点灯電力を光源モジュール（２）へ供給する。演算回路（１３１）は、電源回路（１２）を制御する。メモリ（１３２）は、演算回路（１３１）が電源回路（１２）を制御するために用いる制御用データを記憶する。駆動電源（１８）は、設定回路（２２）を動作させるための駆動電圧（Ｖ１０）を電源回路（１２）の入力電圧（Ｖ１）又は出力電圧（Ｖ２）から生成する。
【０１２２】
上述の電源装置（１）が光源モジュール（２）に組み合わされることで、照明装置（Ａ１）の構成部品の数が抑えられて、設定回路（２２）が設定信号を送信できる。
【０１２３】
実施形態に係る第９の態様の光源モジュール（２）は、第１、第２、第４及び第５の態様のいずれか一つの光源モジュールである。光源モジュール（２）は、光源（２１）と、設定信号を電源装置（１）へ送信する設定回路（２２）と、設定回路（２２）を動作させるための駆動電圧（Ｖ１０）を電源回路（１２）の出力電圧（Ｖ２）から生成する駆動電源（２３）と、を備える。
【０１２４】
上述の光源モジュール（２）が電源装置（１）に組み合わされることで、照明装置（Ａ１）の構成部品の数が抑えられて、設定回路（２２）が設定信号を送信できる。
【０１２５】
また、上述の実施形態及び変形例は一例である。このため、本開示は、上述の実施形態及び変形例に限定されることはなく、この実施形態及び変形例以外であっても、本開示に係る技術的思想を逸脱しない範囲であれば、設計等に応じて種々の変更が可能であることは勿論である。
【符号の説明】
【０１２６】
Ａ１  照明装置
Ｂ１、Ｂ２、Ｂ３  照明器具
１  電源装置
１２  電源回路
１３１  演算回路
１３２  メモリ
１８  駆動電源
１８Ａ  リニアレギュレータ
２  光源モジュール
２１  光源
２２  設定回路
２３  駆動電源
２３Ａ  リニアレギュレータ
２４  基板
６０、６３、６９  器具本体
Ｖ１  直流電圧（入力電圧）
Ｖ２  出力電圧
Ｖ１０  駆動電圧
【図１】
2020123503.tif 000003
【図２】
2020123503.tif 000004
【図３】
2020123503.tif 000005
【図４】
2020123503.tif 000006
【図５】
2020123503.tif 000007
【図６】
2020123503.tif 000008
【図７】
2020123503.tif 000009
【図８】
2020123503.tif 000010
【図９】
2020123503.tif 000011
【図１０】
2020123503.tif 000012
【図１１】
2020123503.tif 000013